【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
第１の基板上に、第１の金属膜と、第１の酸化物膜と、光学フィルターとを順に積層し、
前記光学フィルターを介して前記第１の基板と向かい合うように、前記光学フィルター上に支持体を剥離可能な粘着媒体を用いて貼り合わせ、
前記第１の基板及び前記第１の金属膜を剥離して光学フィルムを形成する第１の工程と、
第２の基板の一方の面に画素を有する層を形成し、前記画素を有する層の表面にプラスチック基板、偏光板または位相差板である第３の基板を第１の接着剤を用いて貼り合わせる第２の工程と、
前記第１の工程及び前記第２の工程の後、前記光学フィルムの前記第１の酸化物膜と前記第２の基板の他方の面とを第２の接着剤を用いて貼り合わせる第３の工程とを有することを特徴とする表示装置の作製方法。
【請求項２】
第１の基板上に、第１の金属膜と、第１の酸化物膜と、光学フィルターとを順に積層し、
前記光学フィルターを介して前記第１の基板と向かい合うように、前記光学フィルター上にプラスチック基板、偏光板または位相差板である第２の基板を第１の接着剤を用いて貼り合わせ、
前記第２の基板上に剥離可能な粘着媒体を用いて支持体を貼り合わせ、
前記第１の基板及び前記第１の金属膜を剥離して光学フィルムを形成する第１の工程と、
第３の基板の一方の面に画素を有する層を形成し、前記画素を有する層の表面にプラスチック基板、偏光板または位相差板である第４の基板を第２の接着剤を用いて貼り合わせる第２の工程と、
前記第１の工程及び前記第２の工程の後、前記光学フィルムの前記第１の酸化物膜と前記第３の基板の他方の面とを第３の接着剤を用いて貼り合わせる第３の工程とを有することを特徴とする表示装置の作製方法。
【請求項３】
第１の基板上に、第１の金属膜と、第１の酸化物膜と、光学フィルターとを順に積層し、
前記光学フィルターを介して前記第１の基板と向かい合うように、前記光学フィルター上に支持体を剥離可能な粘着媒体を用いて貼り合わせ、
前記第１の基板及び前記第１の金属膜を剥離し、
前記第１の金属膜を剥離した前記第１の酸化物膜の面に、プラスチック基板、偏光板または位相差板である第２の基板を第１の接着剤を用いて貼り合わせ、
前記支持体及び前記剥離可能な粘着媒体を除去して光学フィルムを形成する第１の工程と、
第３の基板の一方の面に画素を有する層を形成し、前記画素を有する層の表面にプラスチック基板、偏光板または位相差板である第４の基板を第２の接着剤を用いて貼り合わせる第２の工程と、
前記第１の工程及び前記第２の工程の後、前記光学フィルターの前記光学フィルターの面と前記第３の基板の他方の面とを第３の接着剤を用いて貼り合わせる第３の工程とを有することを特徴とする表示装置の作製方法。
【請求項４】
第１の基板上に、第１の金属膜と、第１の酸化物膜と、光学フィルターとを順に積層し、
前記光学フィルターを介して前記第１の基板と向かい合うように、前記光学フィルター上に支持体を剥離可能な粘着媒体を用いて貼り合わせ、
前記第１の基板及び前記第１の金属膜を剥離して光学フィルムを形成する第１の工程と、
第２の基板上に第２の金属膜と、第２の酸化物膜とを順に積層し、前記第２の酸化物膜上に画素を有する層を形成し、
前記画素を有する層の表面にプラスチック基板、偏光板または位相差板である第３の基板を第１の接着剤を用いて貼り合わせ、
前記第２の基板及び前記第２の金属膜を剥離する第２の工程と、
前記第１の工程及び前記第２の工程の後、前記光学フィルムの前記第１の酸化物膜と前記第２酸化物膜とを第２の接着剤を用いて貼り合わせる第３の工程を有することを特徴とする表示装置の作製方法。
【請求項５】
第１の基板上に、第１の金属膜と、第１の酸化物膜と、光学フィルターとを順に積層し、
前記光学フィルターを介して前記第１の基板と向かい合うように、前記光学フィルター上にプラスチック基板、偏光板または位相差板である第２の基板を第１の接着剤を用いて貼り合わせ、
前記第２の基板上に剥離可能な粘着媒体を用いて支持体を貼り合わせ、
前記第１の基板及び前記第１の金属膜を剥離して光学フィルムを形成する第１の工程と、
第３の基板上に第２の金属膜と、第２の酸化物膜とを順に積層し、前記第２の酸化物膜上に画素を有する層を形成し、
前記画素を有する層の表面にプラスチック基板、偏光板または位相差板である第４の基板を第２の接着剤を用いて貼り合わせ、
前記第３の基板及び前記第２の金属膜を剥離する第２の工程と
前記第１の工程及び前記第２の工程の後、前記光学フィルムの前記第１の酸化物膜と前記第２酸化物膜とを第３の接着剤を用いて貼り合わせる第３の工程とを有することを特徴とする表示装置の作製方法。
【請求項６】
第１の基板上に、第１の金属膜と、第１の酸化物膜と、光学フィルターとを順に積層し、
前記光学フィルターを介して前記第１の基板と向かい合うように、前記光学フィルター上に支持体を剥離可能な粘着媒体を用いて貼り合わせ、
前記第１の基板及び前記第１の金属膜を剥離し、
前記第１の金属膜を剥離した前記第１の酸化物膜の面にプラスチック基板、偏光板または位相差板である第２の基板を第１の接着剤を用いて貼り合わせ、
前記支持体及び前記剥離可能な粘着媒体を除去して光学フィルムを形成する第１の工程と、
第３の基板上に第２の金属膜と、第２の酸化物膜とを順に積層し、前記第２の酸化物膜上に画素を有する層を形成し、
前記画素を有する層の表面にプラスチック基板、偏光板または位相差板である第４の基板を第２の接着剤を用いて貼り合わせ、
前記第３の基板及び前記第２の金属膜を剥離する第２の工程と
前記第１の工程及び前記第２工程の後、前記光学フィルムの前記光学フィルターの面と前記第２の酸化物膜とを第３の接着剤を用いて貼り合わせる第３の工程とを有することを特徴とする表示装置の作製方法。
【請求項７】
請求項１または請求項４において、前記第１の基板及び前記第２の基板は、石英基板、セラミックス基板、シリコン基板、金属基板、またはステンレス基板であることを特徴とする表示装置の作製方法。
【請求項８】
請求項１、請求項４又は請求項７において、前記第３の工程の後、前記剥離可能な粘着媒体及び前記支持体を除去し、前記光学フィルター表面にプラスチック、偏光板、又は位相差板を貼り合わせることを特徴とする表示装置の作製方法。
【請求項９】
請求項２、請求項３、請求項５又は請求項６において、前記第１の基板及び前記第３の基板は、石英基板、セラミックス基板、シリコン基板、金属基板、またはステンレス基板であることを特徴とする表示装置の作製方法。
【請求項１０】
請求項４乃至請求項６のいずれか一項において、前記第２の金属膜と前記第２の酸化物膜の間に、第２の金属酸化物膜が形成されることを特徴とする表示装置の作製方法。
【請求項１１】
請求項１乃至請求項１０のいずれか一項において、前記第１の金属膜と前記第１の酸化物膜の間に、第１の金属酸化物膜が形成されることを特徴とする表示装置の作製方法。
【請求項１２】
請求項１乃至請求項１１のいずれか一項において、前記画素を有する層は、半導体素子及び前記半導体素子に接続する画素電極を有することを特徴とする表示装置の作製方法。
【請求項１３】
請求項１２において、前記半導体素子は、ＴＦＴ、有機半導体トランジスタ、ダイオード、又はＭＩＭ素子であることを特徴とする表示装置の作製方法。
【請求項１４】
請求項１乃至請求項１３のいずれか一項において、前記光学フィルターは、カラーフィルター、又は色変換フィルターであることを特徴とする表示装置の作製方法。
【請求項１５】
請求項１乃至請求項１４のいずれか一項において、前記第１の金属膜は、チタン、アルミニウム、タンタル、タングステン、モリブデン、銅、クロム、ネオジム、鉄、ニッケル、コバルト、ルテニウム、ロジウム、パラジウム、オスミウム、イリジウムから選ばれた元素、または前記元素を主成分とする合金材料若しくは化合物材料からなる単層、またはこれらの積層であることを特徴とする表示装置の作製方法。
【請求項１６】
請求項１乃至請求項１５のいずれか一項において、前記第１の酸化物膜は、酸化シリコン、酸化窒化シリコン、又は金属酸化物で形成されることを特徴とする表示装置の作製方法。
【請求項１７】
請求項１乃至請求項１６のいずれか一項において、前記支持体は、石英基板、金属基板、又はセラミックス基板であることを特徴とする表示装置の作製方法。
【請求項１８】
請求項１乃至請求項１７のいずれか一項において、前記剥離可能な粘着媒体は、反応剥離型粘着剤、熱剥離型粘着剤、光剥離型粘着剤、嫌気剥離型粘着剤、又はこれらの一つ若しくは複数で形成される粘着層を両面に有する部材であることを特徴とする表示装置の作製方法。
【請求項１９】
請求項１乃至請求項１８のいずれか一項において、前記表示装置は、液晶表示装置、発光表示装置、デジタルマイクロミラーデバイス、プラズマディスプレイパネル、フィールドエミッションディスプレイ、又は電気泳動表示装置であることを特徴とする表示装置の作製方法。
【手続補正２】
【補正対象書類名】明細書
【補正対象項目名】００５６
【補正方法】変更
【補正の内容】
【００５６】
なお、第１の基板１０１に、各基板破損の防止のために剥離可能な粘着媒体で、支持体を接着することが好ましい。この支持体を接着することにより、後に示されるような剥離工程をより少ない力で行うことができる。支持体としては、第１の基板よりも剛性の高い基板、代表的には石英基板、金属基板、セラミックス基板を用いることが好ましい。
【手続補正３】
【補正対象書類名】明細書
【補正対象項目名】０１１５
【補正方法】変更
【補正の内容】
【０１１５】
次に、図４（Ｅ）に示すように、図４（Ａ）及び図４（Ｂ）と同様の工程で作製された第２の被剥離体４２４を第２の酸化物膜１３３に第４の接着剤４２５を用いて接着する。第２の被剥離体は、第１の被剥離体１２４と同様に、第３の酸化物膜４０３、第２の光学フィルター４０４、第３の接着剤４１１、第４の基板４１２、第２の剥離可能な粘着媒体４２１、第２の支持体４２２が積層されている。また、それぞれの材料は、第１の被剥離体の各層と同様の材料を用いることができる。この後、第４の基板４１２から、第２の剥離可能な粘着媒体４２１及び第２の支持体４２２を剥離する。また、第２の基板１１２から、第１の剥離可能な粘着媒体１２２及び第１の支持体１２１を剥離する。
【手続補正４】
【補正対象書類名】明細書
【補正対象項目名】０１９５
【補正方法】変更
【補正の内容】
【０１９５】
本実施例により、プラスチック基板上にカラーフィルターを形成することができる。また、偏光板、位相差板、光拡散フィルム等の光学フィルム上に形成することにより、複数の機能が一体化した光学フィルムを形成することができる。
【手続補正５】
【補正対象書類名】明細書
【補正対象項目名】０２２８
【補正方法】変更
【補正の内容】
【０２２８】
図１２（Ａ）において、点線で示された１２０１は信号線駆動回路、１２０２は画素部、１２０３は走査線駆動回路である。また、１２００は第１の基板、１２０４は第２の基板、１２０５は密閉空間の間隔を保持するためのギャップ材が含有されている第１のシール材であり、第１のシール材１２０５で囲まれた内側は、第２のシール材１２０６で密閉されている。第１のシール材としては、フィラーを含む粘性の高いエポキシ系樹脂を用いるのが好ましい。また、第２のシール材としては、粘性の低いエポキシ系樹脂を用いるのが好ましい。また、第１のシール材１２０５及び第２のシール材１２０６はできるだけ水分や酸素を透過しない材料であることが望ましい。
【手続補正６】
【補正対象書類名】明細書
【補正対象項目名】０２２９
【補正方法】変更
【補正の内容】
【０２２９】
なお、１２０８は、信号線駆動回路１２０１及び走査線駆動回路１２０３に入力される信号を伝送するための接続配線であり、外部入力端子となるＦＰＣ（フレキシブルプリント配線）１２０９からビデオ信号やクロック信号を受け取る。
【手続補正７】
【補正対象書類名】図面
【補正対象項目名】図８
【補正方法】変更
【補正の内容】
【図８】
2005182000.tif 000001
【手続補正８】
【補正対象書類名】図面
【補正対象項目名】図１０
【補正方法】変更
【補正の内容】
【図１０】
2005182000.tif 000002
【手続補正９】
【補正対象書類名】図面
【補正対象項目名】図１３
【補正方法】変更
【補正の内容】
【図１３】
2005182000.tif 000003